(57)【要約】【課題】効率よく光を取り出し、照明領域をより均一に照明することができ、低コストで製作し得る照明手段を用いた照明手摺りを提供する。【解決手段】照明手摺り１００は、手摺り本体１０１と、手摺り本体１０１の両端に装着されるエンドキャップ１０２ａ，１０２ｂと、照明手段１０３とから構成された握り棒１１０を複数個のブラケット１０４に架設して構成される。照明手段１０３は、筒状部材と、光源体と、端面部材と、端子板と、放熱手段（兼配線）と、配線とから構成されている。筒状部材は、内周面の長手方向に対して所定間隔を置いて幅方向に帯状とされ、先端が鋭角であるプリズム効果を有する多数の内面突部が列設されると共に、外周面において内面突部と対応する位置に長手方向に対して所定間隔を置いて幅方向に帯状とされ、レンズ効果を有する多数の外面凸部が形成される。【選択図】        図１
2010070962.tif 000002
【特許請求の範囲】
【請求項１】
透明または半透明の樹脂から成型された筒状の手摺り本体と、
前記手摺り本体を支持するブラケットと、
透明または半透明の樹脂から成型された筒状部材と、前記筒状部材の中に配置された光源体と、前記筒状部材の内部に配置され、金属線または金属パイプからなり、前記光源体からの熱を筒状部材に分散させる放熱手段とを有し、前記手摺り本体の内部に配置された照明手段と、
前記手摺り本体の両端に装着され、前記照明手段を固定するエンドキャップとを備えることを特徴とする照明手摺り。
【請求項２】
照明手段は、
透明または半透明樹脂から成型され、２つの半筒状部材を組み立て構成される筒状部材と、
前記筒状部材の端部に、または端部および内部に配置される光源体と、
前記光源体への配線手段とを備える照明ユニットからなることを特徴とする請求項１に記載の照明手摺り。
【請求項３】
前記筒状部材は、内周面の長手方向に対して所定間隔を置いて幅方向に帯状とされ、先端が鋭角であるプリズム効果を有する多数の内面突部が列設されると共に、外周面には、内面突部と対応する位置に長手方向に対して所定間隔を置いて幅方向に帯状とされ、レンズ効果を有する多数の外面凸部または外面凹部が形成されることを特徴とする請求項２に記載の照明手摺り。
【請求項４】
前記光源体は、チップ型発光ダイオードであり、前記配線手段は所定面積を有するＵ字形端子板を備えることを特徴とする請求項２または３に記載の照明手摺り。
【請求項５】
照明手段は、前記照明ユニットを複数用い連結してからなることを特徴とする請求項２乃至４のいずれかに記載の照明手摺り。
【請求項６】
照明手段は、線状または円筒状の有機ＥＬ（有機エレクトロルミネッセンス）発光体からなることを特徴とする請求項１に記載の照明手摺り。
【請求項７】
前記エンドキャップは、透明または半透明樹脂から成型され、端面がレンズ機能を有することを特徴とする請求項１乃至６のいずれかに記載の照明手摺り。
【請求項８】
前記手摺り本体と前記照明手段との間に、色または模様を有するシート材が配置されていることを特徴とする請求項１乃至７のいずれかに記載の照明手摺り。
【請求項９】
前記手摺り本体の内表面に、色または模様を塗布されることを特徴とする請求項１乃至７のいずれかに記載の照明手摺り。
【発明の詳細な説明】
【技術分野】
【０００１】
本発明は、壁面等に取り付けられ、照明機能を有する手摺りに関するものである。
【背景技術】
【０００２】
現在、公共施設や住宅の階段や廊下、浴室、便所などには、安全や誘導用として手摺りが設けられており、特に最近では幅広い世代で共通に安全に過ごせる居住環境を作るという要望からマンションや一般家庭の廊下や階段などの側壁に手摺りを設ける需要が増えてきている。
【０００３】
従来、手摺りに照明機能を持たせた照明の付いた手摺りが提案されている（例えば、特許文献１参照）。
【０００４】
特許文献１に記載された照明の付いた手摺りは、図１０に示すように、壁面に固定した２以上の支持固定物（ブラケット）３に握り棒を架設してなる手摺りに、握り棒１の長さ方向に沿って握り棒の外面から内部に切り欠いた切欠部を設けると共に、この切欠部に蛍光灯２を配置したものであり、または、図１１に示すように、支持固定物（ブラケット）３に握り棒を架設してなる手摺りに、握り棒１の内部に中空部を形成すると共に、この中空部に蛍光灯２を配置するものである。
【０００５】
また、ＬＥＤ光源を用いた屋内用照明手摺りも提案されている（例えば、特許文献２参照）。
【０００６】
この屋内用照明手摺りは、図１２に示すように、アルミ押出管５の中空部に列設した溝レール６に、複数個のＬＥＤが植え付けられたＬＥＤ配線基板７を差し込み敷設して、ＬＥＤの発光がアルミ押出管５の円周面に開口する一条の光透過口８からカバーチューブ９を通じて手摺り本体の外部へ透過するように構成されるものである。
【０００７】
【特許文献１】特開２００１−１０７５３１公報
【特許文献２】特開２００５−１８８０３０公報
【発明の開示】
【発明が解決しようとする課題】
【０００８】
しかし、上述した特許文献１の握り棒１の外面から内部に切り欠いた切欠部を設け、この切欠部に蛍光灯２を配置する照明の付いた手摺りの場合は、握り棒１に切欠があるので、全面を握ることができず、握り感覚および外観が悪いという問題点がある。また、蛍光灯２が切欠部を有する方向に照らすことしかできないので、照明としての機能が制限されているという問題点がある。
【０００９】
また、握り棒１の内部に中空部を形成し、この中空部に蛍光灯２を配置する照明の付いた手摺りの場合は、蛍光灯２の取付部等を設置するために、中空部を大きくする必要があり、そのため、握り棒が太くなり、握りに違和感があるという欠点がある。
【００１０】
また、上述した特許文献２の屋内用照明手摺りも、アルミ押出管５の円周面に設けられた開口、即ち光透過口８から光が出射することしかできないので、照明としての機能が制限されているという問題点がある。また、ＬＥＤが基板に配置されるため、前方から光りが出射することのみ、裏側への照射ができない。
【００１１】
また、アルミ押出管５の円周面に開口を設けるために、加工が複雑になり、コストが高いという欠点がある。
【００１２】
また、従来の手摺りは、冷たい感覚があり、特に、寒い季節で手摺りの表面温度が低いので、触り心地がよくないという問題点がある。
【００１３】
そこで、本発明は、このような問題点を考慮してなされたもので、効率よく光を取り出し、照明領域をより均一に照明することができ、低コストで製作し得る照明手段を用いて、手摺りとして所定の強度を有すると共に、照明機能を有する照明手摺りを提供することを目的とする。
【課題を解決するための手段】
【００１４】
本発明に係る照明手摺りは、透明または半透明の樹脂から成型された筒状の手摺り本体と、前記手摺り本体を支持するブラケットと、透明または半透明の樹脂から成型された筒状部材と、前記筒状部材の中に配置された光源体と、前記筒状部材の内部に配置され、金属線または金属パイプからなり、前記光源体からの熱を筒状部材に分散させる放熱手段とを有し、前記手摺り本体の内部に配置された照明手段と、前記手摺り本体の両端に装着され、前記照明手段を固定するエンドキャップとを備えることを特徴とする。
【００１５】
例えば、照明手段は、透明または半透明樹脂から成型され、２つの半筒状部材を組み立て構成される筒状部材と、前記筒状部材の端部に、または端部および内部に配置される光源体と、前記光源体への配線手段とを備える照明ユニットからなる。
【００１６】
また例えば、前記筒状部材は、内周面の長手方向に対して所定間隔を置いて幅方向に帯状とされ、先端が鋭角であるプリズム効果を有する多数の内面突部が列設されると共に、外周面には、内面突部と対応する位置に長手方向に対して所定間隔を置いて幅方向に帯状とされ、レンズ効果を有する多数の外面凸部または外面凹部が形成される。
【００１７】
また例えば、前記光源体は、チップ型発光ダイオードであり、前記配線手段は所定面積を有するＵ字形端子板を備える。
【００１８】
また例えば、照明手段は、前記照明ユニットを複数用い連結してからなる。
【００１９】
また例えば、照明手段は、線状または円筒状の有機ＥＬ（有機エレクトロルミネッセンス）発光体からなる。
【００２０】
また例えば、前記エンドキャップは、透明または半透明樹脂から成型され、端面がレンズ機能を有する。
【００２１】
また例えば、前記手摺り本体と前記照明手段との間に、色または模様を有するシート材が配置されている。
【００２２】
また例えば、前記手摺り本体の内表面に、色または模様を塗布される。
【発明の効果】
【００２３】
本発明によれば、透明または半透明の樹脂から成型された筒状の手摺り本体と、透明または半透明の樹脂から成型された筒状部材と該筒状部材に配置された光源体とを有し、手摺り本体の内部に配置された照明手段と、前記手摺り本体の両端に装着され、前記照明手段を固定するエンドキャップとを備えることで、手摺りとして所定の強度を有すると共に、照明機能を有する照明手摺りを提供することができる。また、基板を使用せず、光は３６０度から照射することができ、照明装置としても優れている。また、エンドキャップで照明手段を固定するため、部品数が少なく、照明手段の装着、固定が容易にできる。
【００２４】
筒状部材の内部には、金属線または金属パイプからなる放熱手段が配置されることで、発光ダイオード等の光源体からの発熱を均一に拡散することができ、特に、寒い季節で手摺りの表面温度を最適な温度に保つことが可能となる。
【００２５】
また、従来のように、握り棒に切欠部を設けることが必要なく、握り棒を太くする必要もないので、握りに違和感がなく、手摺りの使用性、インテリア性を向上することができる。
【００２６】
また、照明手段は、透明または半透明樹脂から成型され、２つの半筒状部材を組み立て構成される筒状部材と、前記筒状部材の端部に、または端部および内部に配置される光源体と、前記筒状部材の両端にそれぞれ配置され、前記光源体への配線手段を有する端面部材とを備える照明ユニットからなることで、配線基板を使用せず、製作コストの削減を図ることができると共に、光は３６０度方向から照射することが可能となる。
【００２７】
また、照明手段の筒状部材は、内周面の長手方向に対して所定間隔を置いて幅方向に帯状とされ、先端が鋭角であるプリズム効果を有する多数の内面突部が列設されることで、輝度むらをなくし、照明領域をより均一に照明することができ、さらに効率よく取り出すことができる。また、筒状部材の外周面には、内面突部と対応する位置に長手方向に対して所定間隔を置いて幅方向に帯状とされ、レンズ効果を有する多数の外面凸部または外面凹部が形成されることで、拡光効果を向上することが可能となる。
【００２８】
また、光源体は、チップ型発光ダイオードであり、前記配線手段は所定面積を有するＵ字形端子板を備えることで、ハイパワーで高い照度を実現でき、さらに発光ダイオードの数を削減することができる。また、配線手段としては所定面積を有するＵ字形端子板が用いられることで、放熱効果を兼有することができ、該Ｕ字形端子の底面部に複数の光通過用開口部を設けることで、複数の照明ユニットを連結して照明手段を構成する場合、連結部の照度を向上することができる。
【００２９】
また、複数の同様構成を有する照明ユニットを連結することによって、照明手段の長さを比較的自由に設定することが可能となる。また、必要に応じてワット数の高い照明手段を容易に構成する。そのため、手摺りの長さに合わせて照明手段を構成することが可能となる。
【００３０】
また、エンドキャップは、透明または半透明樹脂から成型され、端面がレンズ機能を有することで、手摺りの両端から光を導出することができる。
【００３１】
また、手摺り本体と照明手段との間に、色または模様を有するシート材が配置されることで、または手摺り本体の内表面に、色または模様を塗布されることで、外観品質の優れた手摺りを得ることができる。
【００３２】
手摺り本体に金具を直接取り付けることができ、手摺り本体より発生した静電気による感電を回避することができる。
【発明を実施するための最良の形態】
【００３３】
以下、図面を参照しながら、本発明の実施の形態の照明手摺りについて説明する。
【００３４】
図１は、本発明の第１の実施の形態の照明手摺り１００の構成を示す斜視図である。  図２は、握り棒１１０の構成を示す分解図である。図３は、握り棒１１０の構成を示す断面図である。図４は、握り棒１１０の構成を示すＣ−Ｃ断面図である。図５は、握り棒１１０の構成を示すＤ−Ｄ断面図である。
【００３５】
図１〜図５に示すように、照明手摺り１００は、手摺り本体１０１と、手摺り本体１０１の両端に装着されるエンドキャップ１０２ａ，１０２ｂと、照明手段１０３とから構成された握り棒１１０を複数個のブラケット１０４に架設して構成される。２つのブラケット１０４の間隔は、例えば３５０〜４５０ｍｍとする。また、ブラケット１０４は、例えば金属製のものである。
【００３６】
手摺り本体１０１は、透明または半透明の樹脂から成型された円筒状ものである。材料としては、例えば透明性、耐衝撃性、耐燃性に優れたポリカーボネートが望ましい。手摺りとしての強度を維持するために、厚さが１．５ｍｍ、または２．０ｍｍとされる。なお、透明または半透明のウレタン、アクリル樹脂を用いてもよい。また、手摺り本体１０１の形状は、円筒状に限定されるものではない。他の断面形状を有する筒状のものを用いてもよい。
【００３７】
また、手摺り本体１０１の一端に配線４２ａ，４２ｂを引き出すための開口部１０１ａが設けられている。
【００３８】
エンドキャップ１０２ａ，１０２ｂは、金属、または樹脂等材料から形成され、手摺り本体１０１の両端に嵌合して装着される。この例において、手摺りの両端からも光が出るように、エンドキャップ１０２ａ，１０２ｂが、透明または半透明の樹脂から成型される。
【００３９】
エンドキャップ１０２ａには、嵌合部６１ａ，６１ｂが設けられている。この嵌合部６１ａ，６１ｂは、筒状部材１０の端部に設けられた凹部１５ａ，１５ｂに嵌合して位置決めすることができる。また、エンドキャップ１０２ｂには、嵌合部６２ａ，６２ｂが設けられている。この嵌合部６２ａ，６２ｂは、筒状部材１０の他端部に設けられた凸部１４ａ，１４ｂに嵌合して位置決めすることができる。エンドキャップ１０２ａ，１０２ｂと手摺り本体１０１は接着等手法で固定される。これにより、照明手段１０３が固定される。
【００４０】
また、エンドキャップ１０２ｂの手摺り本体１０１と嵌合する部分に、手摺り本体１０１の開口部１０１ａと対応した位置に配線４２ａ，４２ｂを挿通するための開口部６３が設けられている。
【００４１】
また、エンドキャップ１０２ａ，１０２ｂの端面に凸状のレンズ部６０ａ，６０ｂが形成されている。これにより、内部の光は、エンドキャップ１０２ａ，１０２ｂから外部へ効率的に出射することが可能となる。
【００４２】
手摺り本体１０１およびエンドキャップ１０２ａ，１０２ｂにより、手摺り本体を密封状態にすることができ、また、平滑の外表面を有する。
【００４３】
照明手段１０３は、筒状部材１０と、光源体２０と、端面部材３０と、端子板４０ａ，４０ｂと、放熱手段（兼配線）４１ａ，４１ｂと、配線４２ａ，４２ｂとから構成されている。ここで、光源体への配線手段としては、端子板４０ａ，４０ｂと、放熱手段４１ａ，４１ｂと、配線４２ａ，４２ｂとからなる。
【００４４】
筒状部材１０は、透明または半透明樹脂から成型される２つの半筒状部材１０ａ，１０ｂより接着して構成される。接着は、接着剤を用いて、または超音波溶接を用いて行うことが考えられる。
【００４５】
また、筒状部材１０の内周面に先端が鋭角であるプリズム効果を有する複数の内面突部１１が形成される。この内面突部１１は、筒状部材１０の長手方向に対して所定間隔をおき横方向に帯状とされ、筒状部材１０と同一材料で一体に成型される。ここで、２つの半筒状部材１０ａ，１０ｂを同一金型で成型することで、コストを抑えることができる。
【００４６】
また、突部１１の間の底辺はレンズ効果を有する凹形の曲面１２、例えば半円形に形成されている。これにより、突部１１の間の底辺での光反射が少なくなり、光の外部への出射量が多くなる。また、突部１１の間は所定距離を有するようになされている。突部１１の間の距離は筒状部材１０の直径に比例する。また、突部１１の先端の角度θ（先端部が曲面状に形成される場合、突部１１の両側辺より形成された角度）は、３０度以下に、例えば１７〜１８度に形成されるのが望ましい。突部１１の先端の角度θは、筒状部材１０の直径に比例して設計される。この例においては、突部１１の先端の角度θを１８度とした。
【００４７】
また、筒状部材１０の外周面にレンズ効果を有する多数の外面凸部１３が形成される。この外面凸部１３は、内面突部１１と対応する位置に長手方向に対して所定間隔を置いて幅方向に帯状とされ、筒状部材１０と同一材料で一体に成型される。
【００４８】
筒状部材１０の一端に凹部１５ａ，１５ｂが設けられ、他端に凸部１４ａ，１４ｂが設けられている。これらの凹部１５ａ，１５ｂおよび凸部１４ａ，１４ｂは、手摺り本体１０１、エンドキャップ１０２ａ，１０２ｂを装着する際に、エンドキャップ１０２ａ，１０２ｂと嵌合することができると共に、複数の照明ユニットを連結して照明装置を構成する場合、他の照明ユニットと嵌合することができる。
【００４９】
筒状部材１０の材質は、例えば透明性、耐衝撃性、耐燃性に優れたポリカーボネートが望ましい。なお、透明性のウレタン、アクリル樹脂を用いてもよい。なお、筒状部材１０の透明または半透明樹脂には、予め所定量の光反射物または蓄光材を添加するようにしてもよい。この場合、光を増幅させ、均一に出射させることが可能となる。
【００５０】
光源体２０は、発光ダイオード（ＬＥＤ）である。発光ダイオードとして、例えばチップ型発光ダイオードを用いられる。この例の場合、ハイパワーで高い照度を実現できるチップ型発光ダイオードが両端にそれぞれ１個の発光ダイオードが配置されている。なお、発光ダイオードの代わりに他の光源体を用いてもよい。例えば、線状または円筒状の有機ＥＬ（有機エレクトロルミネッセンス）発光体、光ファイバまたは蓄光材を用いてもよい。
【００５１】
端面部材３０は、透明または半透明樹脂から形成され、フランジ部３１と、円筒状部３２とを有する。フランジ部３１に嵌合部３３ａ，３３ｂが設けられている。この嵌合部３３ａ，３３ｂは筒状部材１０の端部に設けられる凸部１４ａ（図示せず），１４ｂに嵌合することができる。また、端面部材３０に放熱手段（兼配線）４１ａ，４１ｂを挿入するための穴３４ａ，３４ｂが設けられている。端面部材３０と筒状部材１０とは、接着材を用いて、または超音波溶接を用いて接続される。また、端面部材３０のフランジ部３１の端面には、端子板４０ａ，４０ｂを配置することが可能とされる。なお、端面部材３０を筒状部材１０から容易に取り外しできるようにしてもよい。
【００５２】
また、端面部材３０の材質は、例えばウレタン、または透明性、耐衝撃性、耐燃性に優れたポリカーボネートが望ましい。
【００５３】
端子板４０ａ，４０ｂは、配線手段の一部として所定面積を有するＵ字形端子板である。端子板４０ａ，４０ｂは、端面部材３０のフランジ部３１の端面に装着される。端子板４０ａ，４０ｂの間には、光源体２０が設けられ、この光源体２０は、端子板４０ａ，４０ｂとそれぞれ電気的に接続される。端子板４０ａ，４０ｂの形状をＵ字形端子板にすることで、放熱効果を兼有することができる。なお、端子板４０ａ，４０ｂの底面部に複数の光通過用開口部を設ける。これにより、複数の照明ユニットを連結して照明装置を構成する場合、連結部の照度を向上することができる。
【００５４】
放熱手段４１ａ，４１ｂは、光源体２０から放出された熱を拡散させると共に、電力を供給するための配線部材としても機能する。放熱手段４１ａ，４１ｂは、半筒状部材１０ａ，１０ｂの継ぎ目の内部の内面突部１１の位置に配置される。放熱手段４１ａ，４１ｂはそれぞれ筒状部材１０の両端に配置された端子板４０ａ，４０ｂを介して光源体２０のプラス端子とマイナス端子に接続される。また、放熱手段４１ａ，４１ｂの一端に、外部へ導出するための配線４２ａ，４２ｂが接続される。放熱手段４１ａ，４１ｂを設けることで、光源体２０の熱を照明手段１０３の全体に分散し、手摺り本体を介して外部へ放出することができる。
【００５５】
図６は、照明手段１０３の光拡散状態を示す局部拡大図である。この図６において、片方からの光のみを示しているが、他方からの光も同じ原理で拡散される。図６に示すように、光は内面突部１１により拡散され、さらに外面凸部１３で光を屈折させて、筒状部材１０の外部へ照射するようになる。また、内面突部１１は筒状部材１０と同一材料で一体に成型され、また、内面突部１１の間を所定距離にし、さらに、内面突部１１の先端を３０度以下に、例えば１７〜１８度の角度にすることで、内部の光をより効果的に取り出すことができる。また、内面突部１１の間の底辺は凹形の曲面、例えば半円形に形成されているため、突部１１の間の底辺での光反射が少なくなり、光の外部への出射量が多くなる。また、レンズ効果を有する外面凸部１３が設けられるため、プリズム効果を向上させることが可能となる。
【００５６】
また、筒状部材１０の外面と手摺り本体１０１の内面との間は、所定の隙間、例えば、０．３〜０．５ｍｍを有するようにされている。これにより、照明手段１０３を手摺り本体１０１の中に配置することが容易にできると共に、筒状部材１０により手摺り本体１０１を補強し、握り棒１１０が所定の強度を有するようになる。
【００５７】
このように本実施の形態においては、照明手摺り１００は、手摺り本体１０１と、手摺り本体１０１の両端に装着されるエンドキャップ１０２ａ，１０２ｂと、照明手段１０３とから構成された握り棒１１０を複数個のブラケット１０４架設して構成される。照明手段１０３は、筒状部材１０と、光源体２０と、端面部材３０と、端子板４０ａ，４０ｂと、放熱手段（兼配線）４１ａ，４１ｂと、配線４１ａ，４１ｂとから構成されている。筒状部材１０は、内周面の長手方向に対して所定間隔を置いて幅方向に帯状とされ、先端が鋭角であるプリズム効果を有する多数の内面突部１１が列設されると共に、外周面において内面突部１１と対応する位置に長手方向に対して所定間隔を置いて幅方向に帯状とされ、レンズ効果を有する多数の外面凸部１３が形成される。
【００５８】
これにより、手摺りとして所定の強度を有すると共に、照明機能を有する照明手摺りを提供することができる。また、光は３６０度から照射することができ、照明装置としても優れている。また、エンドキャップ１０２ａ，１０２ｂで照明手段１０３を固定するため、部品数が少なく、照明手段の装着、固定が容易にできる。
【００５９】
また、従来のように、握り棒に切欠部を設けることが必要なく、握り棒を太くする必要もないので、握りに違和感がなく、手摺りの使用性、インテリア性を向上することができる。
【００６０】
また、照明手段１０３は、透明または半透明樹脂から成型され、２つの半筒状部材１０ａ，１０ｂを組み立て構成される筒状部材１０と、筒状部材１０の端部に、または端部および内部に配置される光源体２０と、筒状部材１０の両端にそれぞれ配置された端面部材３０とを備える照明ユニットからなることで、配線基板を使用せず、製作コストの削減を図ることができると共に、光は３６０度方向から照射することが可能となる。
【００６１】
また、照明手段１０３は、プリズム効果を向上させることができ、輝度むらをなくし、照明領域をより均一に照明することができ、さらに内面突部１１の間の底辺は半円形に形成されることで、壁の厚さを薄く形成することができ、光を効率よく取り出すことができると共に、筒状部材１０の外表面に形成されたリング状の外面凸部１３（または１３Ａ，１３Ｂ）により拡光効果が向上し、より明るい照明装置を得ることができる。また、内面突部１１の先端部は、３０度以下の鋭角であるため、光の熱を蓄熱しにくい効果が得られる。
【００６２】
また、チップ型発光ダイオード光源を用いることで、ハイパワーで高い照度を実現できる。さらに、端子板４０ａ，４０ｂの形状をＵ字形端子板にすることで、放熱効果を兼有することができる。なお、端子板４０ａ，４０ｂの底面部に複数の光通過用開口部を設けることで、複数の照明ユニットを連結して照明手段を構成する場合、連結部の照度を向上することができる。
【００６３】
筒状部材１０の内部には、長手方向に金属線（または金属パイプ）４１ａ，４１ｂからなる放熱手段が配置されることで、発光ダイオード等の光源体２０からの発熱を均一に拡散することができ、特に、寒い季節で手摺りの表面温度を最適な温度、例えば、２５〜３０℃に保つことが可能となる。手摺りを握る際に暖かい感覚が得られる。
【００６４】
図７は、本発明の第２の実施の形態の握り棒１１０Ａの構成を示す断面図である。図７において、複数の照明ユニットを接続されてからなる照明手段を用いた握り棒１１０Ａを示している。
【００６５】
図７に示すように、握り棒１１０Ａは、手摺り本体１０１と、手摺り本体１０１の両端に装着されるエンドキャップ１０２ａ，１０２ｂと、照明手段１０３とから構成されている。
【００６６】
照明手段１０３は、複数の照明ユニットを接続されて構成されるものである。各照明ユニットは、筒状部材１０と、光源体２０と、端面部材３０と、放熱手段（兼配線）４１ａ，４１ｂと、端子板４０ａ，４０ｂと、配線４１ａ，４１ｂとから構成されている。
【００６７】
筒状部材１０は、前述した照明装置１００の構成と同様である。筒状部材１０の凹部１５ａ，１５ｂおよび凸部１４ａ，１４ｂは、各照明ユニットを連結する際に、他の照明ユニットと嵌合することができると共に、手摺り本体１０１、エンドキャップ１０２ａ，１０２ｂを装着する際に、エンドキャップ１０２ａ，１０２ｂと嵌合することができる。
【００６８】
また、端子板４０ａ，４０ｂの底面部に複数の光通過用開口部を設ける。これにより、複数の照明ユニットを連結して照明装置を構成する場合、連結部の照度を向上することができる。
【００６９】
このように本実施の形態においては、握り棒１１０Ａは、複数の照明ユニットを接続されてからなる照明手段を用いた。この握り棒１１０Ａを複数個のブラケット１０４に架設して照明手摺りを構成することができる。
【００７０】
これにより、複数の同様構成を有する照明ユニットを連結することによって、照明手段１０３の長さを比較的に自由に設定することが可能となる。また、必要に応じてワット数の高い照明手段を容易に構成する。そのため、手摺りの長さに合わせて照明手段を構成することで、長い握り棒１１０Ａを容易に構成することができ、長尺の手摺りが必要とする場所にも応用できる。
【００７１】
図８は、本発明の第３の実施の形態の握り棒１１０Ｂの構成を示す断面図である。図８において、手摺り本体と照明手段との間に、色または模様を有するシート材が配置されている握り棒１１０Ｂを示している。
【００７２】
図８に示すように、握り棒１１０Ｂは、手摺り本体１０１と、手摺り本体１０１の両端に装着されるエンドキャップ１０２ａ，１０２ｂと、照明手段１０３と、円筒状のシート材１０５とから構成されている。
【００７３】
この例において、手摺り本体１０１と照明手段１０３との間に、色または模様を有するシート材１０５が配置されている以外、上述した第１、第２の実施の形態の構成と同様である。
【００７４】
円筒状のシート材１０５は、色または模様を有する紙または樹脂から円筒状に形成される。
【００７５】
これにより、上記第１、第２の実施の形態で得られる効果以外に、手摺り本体１０１と照明手段１０３との間に、色または模様を有するシート材１０５が配置されることで、手摺りのインテリア性を向上することができ、外観品質の優れた手摺りを得ることができる。
【００７６】
図９は、本発明に係る照明手摺りの設置例を示している。図９に示すように、照明手摺り１００Ａは、握り棒１１０（または、１１０Ａ，１１０Ｂ）を金属製のブラケット１０４Ａに架設して構成される。この場合、握り棒１１０に貫通する穴が設けられ、握り棒１１０がネジＳによりブラケット１０４Ａに固定される。手摺り本体１０１と照明手段１０３とが樹脂から形成されているので、端子板４０ａ，４０ｂおよび放熱手段４１ａ，４１ｂが配置された位置以外に、貫通穴またはネジ穴を設けることができる。
【００７７】
また、図９に示すように、握り棒１１０周面から３６０度方向に照明することができると共に、握り棒１１０の両端からも照明できる。照明装置としても優れた性能を有している。
【００７８】
また、一般的に樹脂は静電気を起こし易く、この静電気による感電の心配が考えられるが、本発明に係る照明手摺りの握り棒は、基本的に絶縁体であり、アース代わりに、内部に金属（例えば、銅）のパイプが設置されており、また、ブラケットとはネジで固定することで、即ち直接ネジを打てるので、表面に発生した静電気はネジおよびブラケット等の金物を介して放電される。そのため、静電気による感電を回避することができる。
【００７９】
なお、上述した実施の形態においては、筒状部材１０が円筒状に形成されるものについて説明したが、これに限定されるものではない。例えば、楕円形断面を有する筒状に、または、長方形断面を有する筒状にしてもよい。この場合、楕円形断面または長方形断面の短軸方向の幅が小さいため、光の出射効率がよい。また、筒状部材と同じ断面形状の手摺り本体を用いることが望ましい。
【００８０】
また、上述した実施の形態において、筒状部材１０の外周面において内面突部１１と対応する位置に長手方向に対して所定間隔を置いて幅方向に帯状とされ、レンズ効果を有する多数の外面凸部１３が形成される場合について説明したが、これに限定されるものではない。例えば、筒状部材１０の外周面に、プリズムパターンを加工するようにしてもよい。
【００８１】
また、筒状部材１０の外周面にレンズ効果を有する多数の外面凹部を形成するようにしてもよい。例えば、外面凹部は内面突部１１と対応する位置に長手方向に対して所定間隔を置いて幅方向に帯状とされる。
【００８２】
また、上述した実施の形態において、筒状部材１０の内面突部１１は、先端の角度θが３０度以下の三角形のものについて説明したが、これに限定されるものではない。三角形の上部を曲面にしたもの、または三角形の上部がカットされたものもこの発明に適用できる。また、上記以外のプリズム効果を有する形状にしてもよい。
【００８３】
また、上述した実施の形態において、エンドキャップ１０２ａ，１０２ｂの端面に凸状のレンズ部６０ａ，６０ｂを設ける場合について説明したが、これに限定されるものではない。他の形状のレンズ部を設けるようにしてもよい。また、レンズ部を設けずに、端面をフラット形状にしてもよい。例えば、端面からの光が必要なく、金属材料でエンドキャップを形成する場合は、端面をフラット形状に形成する。
【００８４】
また、上述した実施の形態において、筒状部材１０の両端に発光ダイオードの光源体２０が配置されている場合について説明したが、これに限定されるものではない。長尺の筒状部材１０の場合、筒状部材１０の両端および内部の複数位置に発光ダイオードの光源体２０を配置するようにしてもよい。
【００８５】
また、上述した実施の形態において、内部の放熱手段として２本の金属線４１ａ，４１ｂを用いたが、これに限定されるものではない。例えば、４本または６本の金属線または金属パイプを用いてもよい。
【００８６】
また、上述した第３の実施の形態において、手摺り本体１０１と照明手段１０３との間に、色または模様を有するシート材１０５を配置するものとしたが、これに限定されるものでない。例えば、手摺り本体１０１の内表面または円筒部材１０の外表面に、色または模様を塗布するようにしてもよい。
【産業上の利用可能性】
【００８７】
本発明は、屋内、屋外等に設置される手摺りに利用することができ、また、蛍光灯に代えて、安全、且つ省エネルギーが得られる照明装置としても利用できる。
【図面の簡単な説明】
【００８８】
【図１】本発明の第１の実施の形態の照明手摺り１００の構成を示す斜視図である。
【図２】握り棒１１０の構成を示す分解図である。
【図３】握り棒１１０の構成を示す断面図である。
【図４】握り棒１１０の構成を示すＣ−Ｃ断面図である。
【図５】握り棒１１０の構成を示すＤ−Ｄ断面図である。
【図６】照明手段１０３の光拡散状態を示す局部拡大図である。
【図７】本発明の第２の実施の形態の握り棒１１０Ａの構成を示す断面図である。
【図８】本発明の第３の実施の形態の握り棒１１０Ｂの構成を示す断面図である。
【図９】本願発明に係る手摺りの設置例を示す図である。
【図１０】従来の照明手摺りの構成例（１）を示す図である。
【図１１】従来の照明手摺りの構成例（２）を示す図である。
【図１２】従来の屋内用照明手摺りの構成例を示す図である。
【符号の説明】
【００８９】
１０  筒状部材
１０ａ，１０ｂ  半筒状部材
１１  内面突部
１２  底辺
１３，１３Ａ，１３Ｂ  外面凸部
１４ａ，１４ｂ  凸部
１５ａ，１５ｂ  凹部
２０  光源体
３０  端面部材
３１  フランジ部
３２  円筒状部
３３ａ，３３ｂ  嵌合部
４０ａ，４０ｂ  端子板
４１ａ，４１ｂ  放熱手段
４２ａ，４２ｂ  配線
６１ａ，６１ｂ  嵌合部
６２ａ，６２ｂ  嵌合部
６３  開口部
１００，１００Ａ  照明手摺り
１０１  手摺り本体
１０２ａ，１０２ｂ  エンドキャップ
１０３  照明手段
１０４，１０４Ａ  ブラケット
１０５  シート材
【図１】
2010070962.tif 000003
【図２】
2010070962.tif 000004
【図３】
2010070962.tif 000005
【図４】
2010070962.tif 000006
【図５】
2010070962.tif 000007
【図６】
2010070962.tif 000008
【図７】
2010070962.tif 000009
【図８】
2010070962.tif 000010
【図９】
2010070962.tif 000011
【図１０】
2010070962.tif 000012
【図１１】
2010070962.tif 000013
【図１２】
2010070962.tif 000014